(57)【要約】【課題】基地局検索にかかるまでの所要時間を短縮し、また、基地局検索に必要な消費電力を削減し、ユーザが希望する基地局に、効率的に帰属させる無線端末装置を提供する。【解決手段】無線端末装置が帰属可能な基地局のＳＳＩＤを優先順にＳＳＩＤリスト記憶部１１に設定する。また、無線端末装置が帰属した基地局のＳＳＩＤを帰属履歴記憶部１３に記録する。そして、ＳＳＩＤ優先順位管理部１２は、ＳＳＩＤリスト記憶部１１に設定したＳＳＩＤのリスト、または、帰属履歴記憶部１３に記録したＳＳＩＤの履歴リストを取得し、該取得した履歴リストをＳｃａｎ管理部４に送信する。Ｓｃａｎ管理部４は、ＳＳＩＤ優先順位管理部１２により得られる検索優先度の高いＳＳＩＤから順番に、Ｓｃａｎ処理部５に対して基地局の検索を要求し、基地局の検索を行う。【選択図】        図１２
2004343458.tif 000002
【特許請求の範囲】
【請求項１】
帰属可能な基地局の帰属情報を予め優先順に記憶する基地局記憶手段と、
前記基地局記憶手段に記憶された帰属情報の優先順に従って、帰属可能な基地局を検索する基地局検索手段と、
を有することを特徴とする無線端末装置。
【請求項２】
前記基地局検索手段は、
前記帰属可能な基地局を検出した際に、該検出した基地局に自動的に帰属させることを特徴とする請求項１記載の無線端末装置。
【請求項３】
前記帰属可能な基地局の帰属情報を前記基地局記憶手段に設定する帰属情報設定手段を更に有し、
前記基地局検索手段は、前記帰属情報設定手段により前記基地局記憶手段に設定した帰属情報の優先順に従って前記帰属可能な基地局を検索することを特徴とする請求項１または２記載の無線端末装置。
【請求項４】
前記基地局検索手段は、
前記基地局記憶手段に記憶された帰属情報の優先順に従って、前記帰属可能な基地局が検出されない場合は、自局の無線圏内に位置する全ての基地局の帰属情報を収集し、該収集した帰属情報を基に、前記無線圏内に位置する帰属可能な基地局に帰属することを特徴とする請求項１から３の何れか１項に記載の無線端末装置。
【請求項５】
前記基地局検索手段により検出した帰属可能な基地局に無線端末装置を帰属した前記基地局の帰属情報の履歴を記憶する帰属情報履歴記憶手段を更に有し、
前記基地局検索手段は、前記基地局記憶手段に記憶された帰属情報に従って帰属可能な基地局を検索する前に、前記帰属情報履歴記憶手段に記憶された帰属情報の履歴に従って前記帰属可能な基地局を検索し、前記帰属情報履歴記憶手段に記憶した帰属情報に従って前記帰属可能な基地局を検出できない場合に、前記基地局記憶手段に記憶された帰属情報に従って前記帰属可能な基地局を検出することを特徴とする請求項１から４の何れか１項に記載の無線端末装置。
【請求項６】
前記帰属情報履歴記憶手段に記憶した帰属情報の履歴を削除する帰属情報履歴削除手段を更に有することを特徴とする請求項５記載の無線端末装置。
【請求項７】
前記帰属情報履歴削除手段は、
前記帰属情報履歴記憶手段に記憶した帰属情報のうち、予め定めた一定時間を経過した帰属情報のみを削除することを特徴とする請求項６記載の無線端末装置。
【請求項８】
前記帰属情報履歴削除手段は、
前記帰属情報履歴記憶手段に記憶した全ての帰属情報に従って前記帰属可能な基地局を検出できない場合に、前記帰属情報履歴記憶手段に記憶した全ての帰属情報を削除することを特徴とする請求項６または７記載の無線端末装置。
【請求項９】
前記帰属情報履歴削除手段は、
無線端末装置の電源を切断してから電源を投入するまでの時間が、予め定めた一定時間を経過した際に、前記帰属情報履歴記憶手段に記憶した帰属情報の履歴を削除することを特徴とする請求項６から８の何れか１項に記載の無線端末装置。
【請求項１０】
前記帰属情報履歴記憶手段は、
前記基地局検索手段により前記帰属可能な基地局を検出した際に、該検出した基地局の帰属情報を最新の帰属情報として、前記帰属情報履歴記憶手段に記憶した帰属情報の履歴を更新することを特徴とする請求項５から９の何れか１項に記載の無線端末装置。
【請求項１１】
前記帰属情報履歴記憶手段に記憶する帰属情報の最大個数を設定する帰属情報履歴個数設定手段を有することを特徴とする請求項５から１０の何れか１項に記載の無線端末装置。
【請求項１２】
前記基地局検索手段は、
無線端末装置の電源が投入された際、無線端末装置が現在位置する基地局の無線圏内から別の無線圏内に移動した際、無線端末装置が現在帰属している基地局との同期が外れた際、無線端末装置の設定を変更した際、動作中のアプリケーションからの要求があった際、基地局検索要求が発生した際に、前記基地局検索手段による検索が行われることを特徴とする請求項１から５の何れか１項に記載の無線端末装置。
【請求項１３】
各種情報を記憶する記憶部と、帰属可能な基地局の検索を制御する制御部と、を有する無線端末装置において実行される無線基地局検索処理プログラムであって、
前記制御部に、
外部から優先順に入力された帰属可能な基地局の帰属情報を前記記憶部に記憶する基地局記憶処理と、
前記基地局記憶処理により前記記憶部に記憶された帰属情報の優先順に従って、帰属可能な基地局を検索する基地局検索処理と、
を実行させることを特徴とする無線基地局検索処理プログラム。
【請求項１４】
前記基地局検索処理により前記帰属可能な基地局を検出した際に、該検出した基地局に前記無線端末装置を自動的に帰属させることを特徴とする請求項１３記載の無線基地局検索処理プログラム。
【請求項１５】
前記基地局検索処理は、
前記基地局記憶処理により前記記憶部に記憶された帰属情報の優先順に従って、前記帰属可能な基地局が検出されない場合は、無線圏内に位置する全ての基地局の帰属情報を収集し、該収集した帰属情報を基に、前記無線圏内に位置する帰属可能な基地局に帰属させることを特徴とする請求項１３または１４記載の無線基地局検索処理プログラム。
【請求項１６】
前記基地局検索処理により検出した帰属可能な基地局に前記無線端末装置が帰属した前記基地局の帰属情報の履歴を前記記憶部に記憶する帰属情報履歴記憶処理を前記制御部に実行させ、
前記基地局検索処理は、前記基地局記憶処理により前記記憶部に記憶した帰属情報に従って検索する前に、前記帰属情報履歴記憶処理により前記記憶部に記憶した帰属情報の履歴に従って前記帰属可能な基地局を検索し、前記帰属情報履歴記憶処理により前記記憶部に記憶した帰属情報に従って前記帰属可能な基地局を検出できない場合に、前記基地局記憶処理により前記記憶部に記憶した帰属情報に従って前記帰属可能な基地局を検出することを特徴とする請求項１３から１５の何れか１項に記載の無線基地局検索処理プログラム。
【請求項１７】
前記帰属情報履歴記憶処理により前記記憶部に記憶した帰属情報の履歴を削除する帰属情報履歴削除処理を前記制御部に実行させることを特徴とする請求項１６記載の無線基地局検索処理プログラム。
【請求項１８】
前記帰属情報履歴削除処理は、
前記帰属情報履歴記憶処理により前記記憶部に記憶した帰属情報のうち、予め定めた一定時間を経過した帰属情報のみを削除することを特徴とする請求項１７記載の無線基地局検索処理プログラム。
【請求項１９】
前記帰属情報履歴削除処理は、
前記帰属情報履歴記憶処理により前記記憶部に記憶した全ての帰属情報に従って前記帰属可能な基地局を検出できない場合に、前記帰属情報履歴記憶処理により前記記憶部に記憶した全ての帰属情報を削除することを特徴とする請求項１７または１８記載の無線基地局検索処理プログラム。
【請求項２０】
前記帰属情報履歴削除処理は、
前記無線端末装置の電源を切断してから電源を投入するまでの時間が、予め定めた一定時間を経過した際に、前記帰属情報履歴記憶処理により前記記憶部に記憶した帰属情報の履歴を削除することを特徴とする請求項１７から１９の何れか１項に記載の無線基地局検索処理プログラム。
【請求項２１】
前記帰属情報履歴記憶処理は、
前記基地局検索処理により前記帰属可能な基地局を検出した際に、該検出した基地局の帰属情報を最新の帰属情報として、前記帰属情報履歴記憶処理により前記記憶部に記憶した帰属情報の履歴を更新することを特徴とする請求項１６から２０の何れか１項に記載の無線基地局検索処理プログラム。
【請求項２２】
前記帰属情報履歴記憶処理により前記記憶部に記憶する帰属情報の最大個数を設定する帰属情報履歴個数設定処理を前記制御部に実行させることを特徴とする請求項１６から２１の何れか１項に記載の無線基地局検索処理プログラム。
【請求項２３】
前記基地局検索処理は、
無線端末装置の電源が投入された際、無線端末装置が現在位置する基地局の無線圏内から別の無線圏内に移動した際、無線端末装置が現在帰属している基地局との同期が外れた際、無線端末装置の設定を変更した際、動作中のアプリケーションからの要求があった際、基地局検索要求が発生した際に、前記基地局検索処理による検索が実行されることを特徴とする請求項１３から１６の何れか１項に記載の無線基地局検索処理プログラム。
【発明の詳細な説明】
【０００１】
【発明の属する技術分野】
本発明は、無線ＬＡＮ技術を用いた無線端末装置及び無線基地局検索処理プログラムに関する。
【０００２】
【従来の技術】
近年、ＩＥＥＥ８０２．１１ｂなどの高速な無線通信方式を利用したＬＡＮインフラが普及しており、このＬＡＮインフラの普及に伴い、同じネットワークエリア内で、異なる管理ドメインや認証ドメインを保持する複数の無線ＬＡＮネットワークが存在するという状況が一般的となっている。
【０００３】
このようなネットワーク環境において、無線端末が帰属すべき基地局を検索する必要が生じた場合に、従来の無線端末では、各基地局が保有する管理ドメインを識別するためのＳＳＩＤ（Ｓｅｒｖｉｃｅ  Ｓｅｔ  ＩＤ）を、全ての基地局から収集し、その中から無線端末が帰属可能なＳＳＩＤについて検索動作を実行し、基地局からの応答があれば、その基地局に帰属するという処理動作が行われていた。この処理動作を、Ｐａｓｓｉｖｅ  Ｓｃａｎと呼ばれる。Ｐａｓｓｉｖｅ  Ｓｃａｎは、一定時間、アクセスポイント（ＡＰ）が出すビーコン信号をモニタする方式であり、受信したビーコン信号を基に同期を確立することとなる。
【０００４】
また、本発明より先に出願された技術文献として、基地局と通信している端末局が、無線セル間を移動し、複数の基地局と通信できる状況になった場合に、以前と同一のネットワークにつながる基地局を、自律的に選択して、通信を継続することを可能とする無線ＬＡＮシステムがある（例えば、特許文献１参照）。
【０００５】
この特許文献１は、移動前に端末局が帰属していた基地局の基地局情報を記憶保持する基地局情報記憶部を設け、移動後に端末局が受信した複数の基地局情報を、基地局情報記憶部の基地局情報と比較し、移動前と同一の基地局情報を持つ基地局に帰属することとしている。
【０００６】
【特許文献１】
特開２００３−３７８６０号公報
【０００７】
【発明が解決しようとする課題】
しかしながら、Ｐａｓｓｉｖｅ  Ｓｃａｎは、無線ＬＡＮネットワーク圏内に存在する全ての基地局のＳＳＩＤを収集する作業に時間がかかり、無線電力をより多く消費することとなる。また、近年ではセキュリティ確保の観点からＳＳＩＤを公表しない基地局や、ネットワーク環境が増えつつあり、このようなネットワーク環境ではＰａｓｓｉｖｅ  Ｓｃａｎは役に立たないこととなる。
【０００８】
本発明は上記事情に鑑みてなされたものであり、基地局検索にかかるまでの所要時間を短縮し、また、基地局検索に必要な消費電力を削減し、ユーザが希望する基地局に、効率的に帰属させる無線端末装置及び無線基地局検索処理プログラムを提供することを目的とする。
【０００９】
【課題を解決するための手段】
かかる目的を達成するために本発明は以下のような特徴を有する。
請求項１記載の発明は、帰属可能な基地局の帰属情報を予め優先順に記憶する基地局記憶手段と、基地局記憶手段に記憶された帰属情報の優先順に従って、帰属可能な基地局を検索する基地局検索手段と、を有することを特徴とする。
【００１０】
請求項２記載の発明は、請求項１記載の無線端末装置において、基地局検索手段は、帰属可能な基地局を検出した際に、該検出した基地局に自動的に帰属させることを特徴とする。
【００１１】
請求項３記載の発明は、請求項１または２記載の無線端末装置において、帰属可能な基地局の帰属情報を基地局記憶手段に設定する帰属情報設定手段を更に有し、基地局検索手段は、帰属情報設定手段により基地局記憶手段に設定した帰属情報の優先順に従って帰属可能な基地局を検索することを特徴とする。
【００１２】
請求項４記載の発明は、請求項１から３の何れか１項に記載の無線端末装置において、基地局検索手段は、基地局記憶手段に記憶された帰属情報の優先順に従って、帰属可能な基地局が検出されない場合は、自局の無線圏内に位置する全ての基地局の帰属情報を収集し、該収集した帰属情報を基に、無線圏内に位置する帰属可能な基地局に帰属することを特徴とする。
【００１３】
請求項５記載の発明は、請求項１から４の何れか１項に記載の無線端末装置において、基地局検索手段により検出した帰属可能な基地局に無線端末装置を帰属した基地局の帰属情報の履歴を記憶する帰属情報履歴記憶手段を更に有し、基地局検索手段は、基地局記憶手段に記憶された帰属情報に従って帰属可能な基地局を検索する前に、帰属情報履歴記憶手段に記憶された帰属情報の履歴に従って帰属可能な基地局を検索し、帰属情報履歴記憶手段に記憶した帰属情報に従って帰属可能な基地局を検出できない場合に、基地局記憶手段に記憶された帰属情報に従って帰属可能な基地局を検出することを特徴とする。
【００１４】
請求項６記載の発明は、請求項５記載の無線端末装置において、帰属情報履歴記憶手段に記憶した帰属情報の履歴を削除する帰属情報履歴削除手段を更に有することを特徴とする。
【００１５】
請求項７記載の発明は、請求項６記載の無線端末装置において、帰属情報履歴削除手段は、帰属情報履歴記憶手段に記憶した帰属情報のうち、予め定めた一定時間を経過した帰属情報のみを削除することを特徴とする。
【００１６】
請求項８記載の発明は、請求項６または７記載の無線端末装置において、帰属情報履歴削除手段は、帰属情報履歴記憶手段に記憶した全ての帰属情報に従って帰属可能な基地局を検出できない場合に、帰属情報履歴記憶手段に記憶した全ての帰属情報を削除することを特徴とする。
【００１７】
請求項９記載の発明は、請求項６から８の何れか１項に記載の無線端末装置において、帰属情報履歴削除手段は、無線端末装置の電源を切断してから電源を投入するまでの時間が、予め定めた一定時間を経過した際に、帰属情報履歴記憶手段に記憶した帰属情報の履歴を削除することを特徴とする。
【００１８】
請求項１０記載の発明は、請求項５から９の何れか１項に記載の無線端末装置において、帰属情報履歴記憶手段は、基地局検索手段により帰属可能な基地局を検出した際に、該検出した基地局の帰属情報を最新の帰属情報として、帰属情報履歴記憶手段に記憶した帰属情報の履歴を更新することを特徴とする。
【００１９】
請求項１１記載の発明は、請求項５から１０の何れか１項に記載の無線端末装置において、帰属情報履歴記憶手段に記憶する帰属情報の最大個数を設定する帰属情報履歴個数設定手段を有することを特徴とする。
【００２０】
請求項１２記載の発明は、請求項１から５の何れか１項に記載の無線端末装置において、基地局検索手段は、無線端末装置の電源が投入された際、無線端末装置が現在位置する基地局の無線圏内から別の無線圏内に移動した際、無線端末装置が現在帰属している基地局との同期が外れた際、無線端末装置の設定を変更した際、動作中のアプリケーションからの要求があった際、基地局検索要求が発生した際に、基地局検索手段による検索が行われることを特徴とする。
【００２１】
請求項１３記載の発明は、各種情報を記憶する記憶部と、帰属可能な基地局の検索を制御する制御部と、を有する無線端末装置において実行される無線基地局検索処理プログラムであって、制御部に、外部から優先順に入力された帰属可能な基地局の帰属情報を記憶部に記憶する基地局記憶処理と、基地局記憶処理により記憶部に記憶された帰属情報の優先順に従って、帰属可能な基地局を検索する基地局検索処理と、を実行させることを特徴とする。
【００２２】
請求項１４記載の発明は、請求項１３記載の無線基地局検索処理プログラムにおいて、基地局検索処理により帰属可能な基地局を検出した際に、該検出した基地局に無線端末装置を自動的に帰属させることを特徴とする。
【００２３】
請求項１５記載の発明は、請求項１３または１４記載の無線基地局検索処理プログラムにおいて、基地局検索処理は、基地局記憶処理により記憶部に記憶された帰属情報の優先順に従って、帰属可能な基地局が検出されない場合は、無線圏内に位置する全ての基地局の帰属情報を収集し、該収集した帰属情報を基に、無線圏内に位置する帰属可能な基地局に帰属させることを特徴とする。
【００２４】
請求項１６記載の発明は、請求項１３から１５の何れか１項に記載の無線基地局検索処理プログラムにおいて、基地局検索処理により検出した帰属可能な基地局に無線端末装置が帰属した基地局の帰属情報の履歴を記憶部に記憶する帰属情報履歴記憶処理を制御部に実行させ、基地局検索処理は、基地局記憶処理により記憶部に記憶した帰属情報に従って検索する前に、帰属情報履歴記憶処理により記憶部に記憶した帰属情報の履歴に従って帰属可能な基地局を検索し、帰属情報履歴記憶処理により記憶部に記憶した帰属情報に従って帰属可能な基地局を検出できない場合に、基地局記憶処理により記憶部に記憶した帰属情報に従って帰属可能な基地局を検出することを特徴とする。
【００２５】
請求項１７記載の発明は、請求項１６記載の無線基地局検索処理プログラムにおいて、帰属情報履歴記憶処理により記憶部に記憶した帰属情報の履歴を削除する帰属情報履歴削除処理を制御部に実行させることを特徴とする。
【００２６】
請求項１８記載の発明は、請求項１７記載の無線基地局検索処理プログラムにおいて、帰属情報履歴削除処理は、帰属情報履歴記憶処理により記憶部に記憶した帰属情報のうち、予め定めた一定時間を経過した帰属情報のみを削除することを特徴とする。
【００２７】
請求項１９記載の発明は、請求項１７または１８記載の無線基地局検索処理プログラムにおいて、帰属情報履歴削除処理は、帰属情報履歴記憶処理により記憶部に記憶した全ての帰属情報に従って帰属可能な基地局を検出できない場合に、帰属情報履歴記憶処理により記憶部に記憶した全ての帰属情報を削除することを特徴とする。
【００２８】
請求項２０記載の発明は、請求項１７から１９の何れか１項に記載の無線基地局検索処理プログラムにおいて、帰属情報履歴削除処理は、無線端末装置の電源を切断してから電源を投入するまでの時間が、予め定めた一定時間を経過した際に、帰属情報履歴記憶処理により記憶部に記憶した帰属情報の履歴を削除することを特徴とする。
【００２９】
請求項２１記載の発明は、請求項１６から２０の何れか１項に記載の無線基地局検索処理プログラムにおいて、帰属情報履歴記憶処理は、基地局検索処理により帰属可能な基地局を検出した際に、該検出した基地局の帰属情報を最新の帰属情報として、帰属情報履歴記憶処理により記憶部に記憶した帰属情報の履歴を更新することを特徴とする。
【００３０】
請求項２２記載の発明は、請求項１６から２１の何れか１項に記載の無線基地局検索処理プログラムにおいて、帰属情報履歴記憶処理により記憶部に記憶する帰属情報の最大個数を設定する帰属情報履歴個数設定処理を制御部に実行させることを特徴とする。
【００３１】
請求項２３記載の発明は、請求項１３から１６の何れか１項に記載の無線基地局検索処理プログラムにおいて、基地局検索処理は、無線端末装置の電源が投入された際、無線端末装置が現在位置する基地局の無線圏内から別の無線圏内に移動した際、無線端末装置が現在帰属している基地局との同期が外れた際、無線端末装置の設定を変更した際、動作中のアプリケーションからの要求があった際、基地局検索要求が発生した際に、基地局検索処理による検索が実行されることを特徴とする。
【００３２】
【発明の実施の形態】
（発明の特徴）
まず、図１を参照しながら本発明にかかる無線端末装置の特徴について説明する。
【００３３】
図１において、無線端末１０１と、４つの無線基地局Ａと、Ｂと、Ｃと、Ｄと、が存在する。なお、それぞれの無線基地局は、ＳＳＩＤ（Ｓｅｒｖｉｃｅ  Ｓｅｔ  ＩＤ）として、無線基地局Ａが“ｏｔｈｅｒｎｅｔ”を保有し、無線基地局Ｂが、“ｍｙｎｅｔ１”を保有し、無線基地局Ｃが、“ｍｙｎｅｔ２”を保有し、無線基地局Ｄが“ｍｙｎｅｔ２”を保有する。ＳＳＩＤ（Ｓｅｒｖｉｃｅ  Ｓｅｔ  ＩＤ）は、ＩＥＥＥ８０２．１１で定義され、サービス単位や管理ドメインを区別するための識別子である。また、無線端末１０１は、ＳＳＩＤを指定して無線基地局を検索することができる。
【００３４】
なお、無線端末１０１は、無線基地局Ｂと、Ｃと、Ｄと、に帰属することができるが、無線基地局Ａには帰属することはできないものとする。また、無線端末１０１は、図２に示す、ＳＳＩＤ検索優先度リスト（優先度）、および、帰属履歴を保持しているとする。
【００３５】
また、図１において、無線基地局を中心として形成されている円は、中心にある無線基地局の電波が届くエリアを示す。なお、無線基地局Ａと、Ｂと、Ｃと、Ｄと、は、それぞれお互いに干渉しない無線チャネルを使用しているものとする。
【００３６】
まず、無線端末１０１が、無線基地局Ｂの無線圏内に位置しており、無線基地局Ｂに帰属しているとする。その後、無線基地局Ａと、Ｃと、の無線エリアがオーバーラップする位置（図１に示す斜線領域）へ、無線端末１０１が移動したとする（▲１▼）。このとき、無線端末１０１は、無線基地局Ｂの圏外に移動したことを契機に、図２に示す、無線端末１０１が保持するＳＳＩＤ検索優先度リスト（優先度）、および、帰属履歴に従ってＳＳＩＤの検索を開始する。
【００３７】
まず、無線端末１０１は、図２に示す帰属履歴に従い、ＳＳＩＤが“ｍｙｎｅｔ１”の無線基地局を検索する。しかし、図１に示すように、無線基地局Ａと、Ｃと、の無線エリアがオーバーラップする位置（斜線領域）では、無線端末１０１は、無線基地局Ｂからの電波が届かないため、この検索は失敗する。
【００３８】
次に、無線端末１０１は、帰属履歴の検索が終了したので、図２に示すＳＳＩＤ検索優先度リスト（優先度）の検索を開始する。ＳＳＩＤ検索優先度リスト（優先度）の最初のＳＳＩＤは、“ｍｙｎｅｔ１”であるが、このＳＳＩＤは、既に検索済みであるのでスキップし、次のＳＳＩＤが“ｍｙｎｅｔ２”の無線基地局を検索する。
【００３９】
この検索により、無線基地局Ｃが検出されるので、無線端末１０１は、この無線基地局Ｃに帰属する。そして、図３に示すように、無線端末１０１が帰属した無線基地局Ｃが保有する“ｍｙｎｅｔ２”を、帰属履歴リストの最初の優先度を持つＳＳＩＤとして登録する。このようにユーザが、あらかじめＳＳＩＤリストを無線端末１０１に設定しておくことで、無線端末１０１が帰属できない無線基地局Ａを検索する処理を省略することができる。
【００４０】
次に、無線端末１０１が無線基地局Ｃの圏外に移動し、基地局Ｄの圏内に移動したとする（▲２▼）。すると、無線端末１０１は、無線基地局Ｃの無線圏外に移動したことを契機に、上記と同じ方法でＳＳＩＤの検索を開始する。なお、ＳＳＩＤ検索優先度リスト（優先度）、および、帰属履歴リストは、上記の無線基地局Ｂから、無線基地局Ａと、Ｃと、の無線エリアがオーバーラップする位置に移動した際（▲１▼）の処理動作により、図３に示すように更新されており、無線端末１０１は、まず帰属履歴リストの最初にあるＳＳＩＤが“ｍｙｎｅｔ２”の無線基地局を検索する。すると、無線基地局Ｄが検出されるので、無線端末１０１は、この無線基地局Ｄに帰属する。
【００４１】
次に、無線端末１０１が帰属した無線基地局Ｄの保有する“ｍｙｎｅｔ２”を帰属履歴リストの先頭に移動させ、帰属履歴リストを更新する（なお、“ｍｙｎｅｔ２”は、既に先頭にあるので、順位は変化しない）。このように、直前に帰属していたＳＳＩＤは、再度帰属する可能性が高く、また、一般的に同じ管理ドメインにある無線基地局は、同じＳＳＩＤで設定されている場合が多いので、帰属履歴リストを先に検索することにより、ＳＳＩＤ検索の回数を減らすことができる。
【００４２】
なお、この無線端末１０１は、無線端末１０１の電源が投入された際、もしくは、無線端末１０１が現在位置する基地局の無線エリアから別の無線エリアに移動した際（ハンドオーバ）、もしくは、無線端末１０１が現在帰属している基地局との同期が外れた際、もしくは、ユーザが無線端末１０１の設定を変更した際、もしくは、動作中のアプリケーションからの要求があった場合、もしくは、その他の基地局検索要求が発生した場合に、帰属可能な基地局の検索を行うこととする。
【００４３】
以下、添付図面を参照しながら、本発明にかかる無線端末装置の実施の形態について説明する。
【００４４】
（第１の実施の形態）
まず、第１の実施の形態について説明する。
第１の実施の形態は、図４に示すように、Ｅｔｈｅｒｎｅｔ（Ｒ）による有線ＬＡＮネットワーク１２１、１２２が敷設されている。有線ＬＡＮネットワーク１２１には、ＩＥＥＥ８０２．１１標準に準拠した無線ＬＡＮ基地局１１１が接続されている。また、有線ＬＡＮネットワーク１２２は、無線ＬＡＮ基地局１１２、１１３が接続されている。なお、無線ＬＡＮ基地局１１１、１１２、１１３の電波が届く通信可能範囲は、各無線ＬＡＮ基地局を中心として形成される円の内側のエリアとなる。
【００４５】
無線ＬＡＮ基地局１１１のＳＳＩＤは、“ｏｔｈｅｒｎｅｔ”に設定されており、無線ＬＡＮ基地局はこのＳＳＩＤをビーコンにより定期的にブロードキャストしている。
【００４６】
無線ＬＡＮ基地局１１２のＳＳＩＤは、“ｍｙｎｅｔ１”に設定されており、また、無線ＬＡＮ基地局１１３のＳＳＩＤは、“ｍｙｎｅｔ２”に設定されている。なお、これら２つの無線ＬＡＮ基地局１１２、１１３は、このＳＳＩＤを公開していない。すなわち、無線ＬＡＮ端末１０１が、Ｐａｓｓｉｖｅ  Ｓｃａｎ、もしくは、ＳＳＩＤを“ＡＮＹ”に設定したＡｃｔｉｖｅ  Ｓｃａｎを行っても、これらの無線ＬＡＮ基地局１１２、１１３を検索することはできないこととなる。
【００４７】
なお、Ａｃｔｉｖｅ  Ｓｃａｎとは、ＳＳＩＤを無線ＬＡＮ端末１０１から出し、その応答でアクセスポイント（ＡＰ）を探す検索方式である。
【００４８】
第１の実施の形態における無線ＬＡＮ端末１０１は、図６に示すように、Ｓｃａｎトリガ検出部１と、同期管理部２と、ユーザインタフェース３と、Ｓｃａｎ管理部４と、Ｓｃａｎ処理部５と、モデム６と、送信部７と、受信部８と、切り替えスイッチ９と、アンテナ１０と、ＳＳＩＤリスト記憶部１１と、ＳＳＩＤ優先順位管理部１２と、の内部構成を構築している。
【００４９】
このように、第１の実施の形態における無線ＬＡＮ端末１０１は、図５に示す、従来の無線ＬＡＮ端末に加えて、ＳＳＩＤリスト記憶部１１と、ＳＳＩＤ優先順位管理部１２と、が新たに追加されて構築されている。なお、ＳＳＩＤリスト記憶部１１は、ユーザまたは管理者があらかじめ、無線ＬＡＮ端末１０１が使用できる無線ＬＡＮ基地局のＳＳＩＤを登録しておく記憶部である。また、ＳＳＩＤ優先順位管理部１２は、以下で述べるような処理に従って、無線ＬＡＮ端末１０１が検索するＳＳＩＤ、および、そのＳＳＩＤの検索優先順位を決定する部分である。
【００５０】
なお、無線ＬＡＮ端末１０１は、図４に示す有線ネットワーク１２２に接続されているすべての無線ＬＡＮ基地局、すなわち、無線ＬＡＮ基地局１１２、１１３の使用は許可されているが、有線ネットワーク１２１の使用は許可されていないものとする。従って、ユーザは、無線ＬＡＮ端末１０１のユーザインタフェースを使用して、ＳＳＩＤリスト記憶部１１に、図７に示すＳＳＩＤリストを設定しておくこととなる。
【００５１】
（第１の実施の形態における処理動作）
次に、第１の実施の形態における無線ＬＡＮ端末１０１の処理動作について説明する。
【００５２】
なお、無線ＬＡＮ端末１０１は、図４に示すように、無線ＬＡＮ基地局１１２に帰属しているものとする。このとき、無線ＬＡＮ端末１０１が無線ＬＡＮ基地局１１２の圏外に移動し、無線ＬＡＮ基地局１１１、および、無線ＬＡＮ基地局１１３の何れからも電波がとどく範囲（図４の斜線領域）に移動したとする（▲１▼）。
【００５３】
このとき、無線ＬＡＮ端末１０１の具備するＳｃａｎトリガ検出部１は、無線ＬＡＮ端末１０１が帰属していた無線ＬＡＮ基地局１１２の圏外に移動したことを検知する。そして、これを契機として、Ｓｃａｎトリガ検出部１は、Ｓｃａｎ管理部４に無線ＬＡＮ基地局の検索を指示する。この指示により、Ｓｃａｎ管理部４は、ＳＳＩＤ優先順位管理部１２により得られる検索優先度の高いＳＳＩＤから順番に、Ｓｃａｎ処理部５に対して無線ＬＡＮ基地局の検索を要求し、無線ＬＡＮ基地局の検索を行う。このアルゴリズムを図８に示す。以下、図８に示すアルゴリズムについて説明する。
【００５４】
まず、Ｃｈａｎｎｅｌ等のパラメータを設定し（ステップＳ８０１）、ＳＳＩＤリスト記憶部１１に設定された優先順位が１位のアクセスポイント（ＡＰ）のＳＳＩＤを設定する（ステップＳ８０２）。次に、Ｓｃａｎ処理を行い（ステップＳ８０３）、アクセスポイント（ＡＰ）を検出したか否かを判定する（ステップＳ８０４）。この判定により、アクセスポイント（ＡＰ）を検出した場合は（ステップＳ８０４／ＹＥＳ）、同一のＳＳＩＤのアクセスポイント（ＡＰ）を複数検出したか否かを判定し、複数のＡＰを検出した場合は、最も受信品質の良いＡＰを選択することで（ステップＳ８０５）、ＳＳＩＤリスト記憶部１１に設定されたアクセスポイント（ＡＰ）を検出して、処理を終了する。
【００５５】
また、ステップＳ８０４の判定において、アクセスポイント（ＡＰ）が検出されな場合は（ステップＳ８０４／ＮＯ）、ＳＳＩＤリスト記憶部１１に設定された全てのＳＳＩＤリストのＳｃａｎ処理が完了したか否かを判定し（ステップＳ８０６）、該判定により、Ｓｃａｎ処理が完了したと判定した場合は（ステップＳ８０６／ＹＥＳ）、アクセスポイント（ＡＰ）が検出されないまま処理を終了する。
【００５６】
また、ステップＳ８０６の判定において、ＳＳＩＤリスト記憶部１１に設定された全てのＳＳＩＤリストのＳｃａｎ処理が完了していないと判定した場合は（ステップＳ８０６／ＮＯ）、ＳＳＩＤリスト記憶部１１に設定されたＳＳＩＤリストの優先順位を１つ下げたアクセスポイント（ＡＰ）のＳＳＩＤを設定し（ステップＳ８０７）、再び、ステップＳ８０３に戻り、同様の処理を繰り返す。
【００５７】
この図８に示すアルゴリズムに従うと、第１の実施の形態における無線ＬＡＮ端末１０１の具備するＳＳＩＤ優先順位管理部１２が、まず、ＳＳＩＤリスト記憶部１１に設定された、図７に示す検索リスト中の最も高い優先度を持つＳＳＩＤ“ｍｙｎｅｔ１”について、ＳＳＩＤの検索を行う。なお、この“ｍｙｎｅｔ１”についてのＳＳＩＤの検索では無線ＬＡＮ基地局は検出されないので、次に、優先度を１つ下げ、図７に示す検索リストの２番目のＳＳＩＤ“ｍｙｎｅｔ２”を検索する。すると、無線ＬＡＮ基地局１１３が検出されるので、Ｓｃａｎ管理部４は、無線ＬＡＮ端末１０１を、この無線ＬＡＮ基地局１１３に帰属させる。すなわち２回目の検索で帰属が完了する。
【００５８】
従来の無線ＬＡＮ端末１０１の場合は、図４に示すように、無線ＬＡＮ端末１０１が、移動した場合（▲１▼）、Ｐａｓｓｉｖｅ  Ｓｃａｎ（図９参照）、もしくは、ＳＳＩＤを“ＡＮＹ”に設定したＡｃｔｉｖｅ  Ｓｃａｎ（図１０参照）を行うが、この処理を行うと、無線ＬＡＮ基地局１１１が検索されることになる。しかし、無線ＬＡＮ基地局１１１が接続されている有線ネットワーク１２１は、無線ＬＡＮ端末１０１の接続を許可していないので、無線ＬＡＮ端末１０１は、ネットワークに接続することができない。
【００５９】
また、有線ネットワーク１２１が、無線ＬＡＮ端末１０１の接続を許可している場合でも、セキュリティ確保のために無線ＬＡＮ基地局１１１がＳＳＩＤを非公開としている場合は、同様に、無線ＬＡＮ端末１０１が、図４に示すように移動した場合は、図５に示す従来の無線ＬＡＮ端末のＰａｓｓｉｖｅ  Ｓｃａｎ、もしくは、ＳＳＩＤを“ＡＮＹ“に設定したＡｃｔｉｖｅ  Ｓｃａｎによる検索では、いかなる無線ＬＡＮ基地局も検索されず、無線ＬＡＮ基地局への接続を無線ＬＡＮ端末が行うことができない。
【００６０】
このように、第１の実施の形態では、無線ＬＡＮ端末１０１にＳＳＩＤリスト記憶部１１を設け、そのＳＳＩＤリスト記憶部１１にＳＳＩＤ検索リストを設定することで、無線ＬＡＮ端末１０１が使用できないネットワークに接続してしまうことを防ぐことが可能となる。また、ＳＳＩＤリスト記憶部１１に、ＳＳＩＤを非公開としている検索リストを設定し、Ａｃｔｉｖｅ  ＳｃａｎによりＳＳＩＤを検索することで、ＳＳＩＤを非公開としている無線ＬＡＮ基地局にも接続することが可能となる。
【００６１】
また、ＳＳＩＤの検索に優先度を持たせ、ユーザがより使用頻度の高いＳＳＩＤの優先順位をＳＳＩＤリスト記憶部１１に設定しておくことで、検索にかかる平均回数を減らすことができる。
【００６２】
（第２の実施の形態）
次に、第２の実施の形態について説明する。
第２の実施の形態は、図１１に示すように、Ｅｔｈｅｒｎｅｔ（Ｒ）による有線ＬＡＮネットワーク２２１、２２２が敷設されている。有線ＬＡＮネットワーク２２１には、ＩＥＥＥ８０２．１１標準に準拠した無線ＬＡＮ基地局２１１が接続されている。また、有線ＬＡＮネットワーク２２２には、ＩＥＥＥ８０２．１１標準に準拠した無線ＬＡＮ基地局２１２、２１３および２１４が接続されている。なお、無線ＬＡＮ基地局の電波が届く通信可能範囲は、無線ＬＡＮ基地局を中心とする円で示した範囲となる。
【００６３】
有線ネットワーク２２１に接続された無線ＬＡＮ基地局２１１のＳＳＩＤは、“ｏｔｈｅｒｎｅｔ”に設定されている。また、有線ネットワーク２２２は２つの管理ドメインに分かれており、一方の管理ドメインには、無線ＬＡＮ基地局２１３および無線ＬＡＮ基地局２１４が、他方の管理ドメインには、無線ＬＡＮ基地局２１２が接続されている。通常、ＳＳＩＤは、管理ドメインごとに別個のものを設定するので、無線ＬＡＮ基地局２１２のＳＳＩＤは、“ｍｙｎｅｔ１”に、無線ＬＡＮ基地局２１３と２１４のＳＳＩＤは“ｍｙｎｅｔ２”に、それぞれ設定されている。
【００６４】
なお、第２の実施の形態における無線ＬＡＮ端末２０１は、図１２に示すように、Ｓｃａｎトリガ検出部１と、同期管理部２と、ユーザインタフェース３と、Ｓｃａｎ管理部４と、Ｓｃａｎ処理部５と、モデム６と、送信部７と、受信部８と、切り替えスイッチ９と、アンテナ１０と、ＳＳＩＤリスト記憶部１１と、ＳＳＩＤ優先順位管理部１２と、帰属履歴記憶部１３と、の内部構成を構築している。このように、第２の実施の形態における無線ＬＡＮ端末２０１は、従来の無線ＬＡＮ端末に加えて、ＳＳＩＤリスト記憶部１１と、ＳＳＩＤ優先順位管理部１２と、帰属履歴記憶部１３と、が新たに追加された内部構成を構築する。
【００６５】
ＳＳＩＤリスト記憶部１１には、ユーザまたは管理者が、あらかじめ無線ＬＡＮ端末２０１が使用できる無線ＬＡＮ基地局のＳＳＩＤを設定しておく。
帰属履歴記憶部１３には、無線ＬＡＮ端末２０１が最近帰属した無線ＬＡＮ基地局のＳＳＩＤリストが記録される。なお、この帰属履歴記憶部１３に記録可能なＳＳＩＤの最大個数をユーザが設定することも可能である。
ＳＳＩＤ優先順位管理部１２は、以下で述べるような処理に従って、無線ＬＡＮ端末２０１が検索するＳＳＩＤ、およびそのＳＳＩＤの検索優先順位を決定する。
【００６６】
なお、無線ＬＡＮ端末２０１は、有線ネットワーク２２２に接続されているすべての無線ＬＡＮ基地局、すなわち、無線ＬＡＮ基地局２１２、２１３、２１４の使用が許可されているが、無線ＬＡＮ端末２０１は、有線ネットワーク２２１の使用は許可されていないものとする。また、無線ＬＡＮ端末２０１は、図１１に図示していない、別の場所に存在する無線ＬＡＮ基地局にも接続することができ、この無線ＬＡＮ基地局のＳＳＩＤは“ｍｙｎｅｔ３”とする。
【００６７】
従って、ユーザは、無線ＬＡＮ端末２０１のユーザインタフェースを使用して、あらかじめ、図１３に示すようなＳＳＩＤリストを、ＳＳＩＤリスト記憶部１１に設定しておく。
【００６８】
（第２の実施の形態における処理動作）
次に、第２の実施の形態における無線ＬＡＮ端末２０１の処理動作について説明する。
なお、無線ＬＡＮ端末２０１は、無線ＬＡＮ基地局２１２に帰属しており、無線ＬＡＮ端末２０１の具備する帰属履歴記憶部１３の帰属履歴リストが図１４に示すように記録されているものとする。このとき、無線ＬＡＮ端末２０１が無線ＬＡＮ基地局２１２の圏外に移動し、無線ＬＡＮ基地局２１１および無線ＬＡＮ基地局２１３のいずれからも電波がとどく範囲（図１１に示す斜線領域）に移動したとする（▲１▼）。
【００６９】
このとき、無線ＬＡＮ端末２０１の具備するＳｃａｎトリガ検出部１は、無線ＬＡＮ端末２０１が帰属していた基地局２１２の圏外に移動したことを検出し、これを契機として、Ｓｃａｎトリガ検出部１は、Ｓｃａｎ管理部４に無線ＬＡＮ基地局の検索を指示する。この指示により、Ｓｃａｎ管理部４は、ＳＳＩＤ優先順位管理部１２により得られる検索優先度の高いＳＳＩＤから順番に、Ｓｃａｎ処理部５に対して、無線ＬＡＮ基地局の検索を要求し、無線ＬＡＮ基地局の検索を行う。
【００７０】
まず、無線ＬＡＮ端末２０１の具備するＳＳＩＤ優先順位管理部１２は、帰属履歴記憶部１３の帰属履歴リストにある図１４に示すＳＳＩＤ“ｍｙｎｅｔ１”を持つ無線ＬＡＮ基地局の検索を要求する。しかし、この検索は失敗する。
【００７１】
次に、ＳＳＩＤ優先順位管理部１２は、ＳＳＩＤリスト記憶部１１の検索リストにある、図１３に示すＳＳＩＤそれぞれについての検索を要求する。すると、検索リストの２番目の“ｍｙｎｅｔ２”をもつ無線ＬＡＮ基地局２１３が検出されるので、Ｓｃａｎ管理部４は、無線ＬＡＮ端末２０１を、“ｍｙｎｅｔ２”をもつ無線ＬＡＮ基地局２１３に帰属させる。すなわち、３回目の検索で無線ＬＡＮ端末２０１の帰属が完了する。
【００７２】
次に、無線ＬＡＮ端末２０１の無線ＬＡＮ基地局２１３への帰属が完了すると、同期管理部２は、ＳＳＩＤリスト記憶部１１の帰属履歴リストにその“ｍｙｎｅｔ２”のＳＳＩＤを記録し、帰属履歴リストを更新する。これにより、ＳＳＩＤリスト記憶部１１の帰属履歴リストは図１５のように更新される。
【００７３】
次に、無線ＬＡＮ端末２０１が、無線ＬＡＮ基地局２１３の圏外へ移動し、無線ＬＡＮ基地局２１４の圏内に移動したとする（▲２▼）。すると、無線ＬＡＮ端末２０１は、上記と同様な処理を行い、無線ＬＡＮ基地局２１３の圏外へ移動したことを契機に、無線ＬＡＮ端末２０１は、無線ＬＡＮ基地局の検索を開始するが、第２の実施の形態における無線ＬＡＮ端末２０１によると、まず、図１５に示す帰属履歴リストのＳＳＩＤ“ｍｙｎｅｔ２”が検索される。すると、無線ＬＡＮ基地局２１４が検索されるので、無線ＬＡＮ２０１は、この無線ＬＡＮ基地局２１４に帰属する。すなわち１回の検索で、無線ＬＡＮ基地局を検索することができる。
【００７４】
そして、無線ＬＡＮ端末２０１が、無線ＬＡＮ基地局２１４に帰属した際、無線ＬＡＮ端末２０１が帰属しているＳＳＩＤに変化がないため、帰属履歴記憶部１３の帰属履歴リストは更新されず、図１５に示す帰属履歴リストのままとなる。
【００７５】
次に、無線ＬＡＮ端末２０１が無線ＬＡＮ基地局２１４の圏外へ移動し、再度無線ＬＡＮ基地局２１２の圏内に戻ったとする（▲３▼）。すると、上記の処理と同様に無線ＬＡＮ端末２０１は、無線ＬＡＮ基地局２１４の圏外へ移動したことを契機に、無線ＬＡＮ端末２０１は、無線ＬＡＮ基地局の検索を開始するが、第２の実施の形態における無線ＬＡＮ端末２０１によると、まず図１５に示す帰属履歴リストのＳＳＩＤ“ｍｙｎｅｔ２”が検索される。しかし、ＳＳＩＤ“ｍｙｎｅｔ２”の無線ＬＡＮ基地局は検出されないので、帰属履歴リストの次のＳＳＩＤ“ｍｙｎｅｔ１”が検索される。すると、無線ＬＡＮ基地局２１２が検出されるので、無線ＬＡＮ端末２０１は、無線ＬＡＮ基地局２１２に帰属する。すなわち、２回の検索で無線ＬＡＮ基地局を検索することができる。そして、帰属履歴記憶部１３の帰属履歴リストは図１６のように更新される。
【００７６】
このように、第２の実施の形態における無線ＬＡＮ端末２０１は、帰属履歴記憶部１３を設け、該設けた帰属履歴記憶部１３に帰属履歴を記録することで、検索リストのみの検索に比べて検索回数を少なくすることが可能となる。これは、無線ＬＡＮ端末２０１の移動がほとんどの場合、限られたＳＳＩＤを保持する無線ＬＡＮ基地局間で行われるため、最近帰属したＳＳＩＤほど、再度、無線ＬＡＮ端末２０１が帰属する可能性が高く、無線ＬＡＮ端末２０１の具備するＳＳＩＤリスト記憶部１１に設定した検索リストのすべてのＳＳＩＤを検索するのは効率が悪いからである。
【００７７】
なお、帰属履歴記憶部１３に記録された全ての帰属履歴リストの検索が終了した際に、続けて、ＳＳＩＤリスト記憶部１１に設定したＳＳＩＤリストを用いて、無線ＬＡＮ基地局の検索を行うことも可能である。この場合、帰属履歴記憶部１３に記録された全ての帰属履歴リストは、無線ＬＡＮ基地局に帰属することができないこととなるため、自動的に帰属履歴記憶部１３の帰属履歴リストを全て消去するように設定することも可能である。
【００７８】
また、帰属履歴記憶部１３に記録された帰属履歴リストの検索から、続けて、ＳＳＩＤリスト記憶部１１に設定したＳＳＩＤリストを用いて検索するように設定した場合に、帰属履歴記憶部１３に記録された全ての帰属履歴リストを検索せずに、予め、帰属履歴リストから検索するＳＳＩＤの数を設定し、その設定した数までの検索が完了した際に、ＳＳＩＤリスト記憶部１１に設定したＳＳＩＤリストの検索に移行するように設定することも可能である。
【００７９】
このように、第２の実施の形態における無線ＬＡＮ端末２０１は、ＳＳＩＤリスト記憶部１１と、帰属履歴記憶部１３と、を設け、該設けたＳＳＩＤリスト記憶部にＳＳＩＤ検索リストを設定し、帰属履歴記憶部１３に帰属履歴を記録することで、以下のような効果を奏する。
ＳＳＩＤ検索リストおよび帰属履歴を持たない従来の無線ＬＡＮ端末は、無線ＬＡＮ基地局２１２から無線ＬＡＮ基地局２１３に移動した際に（▲１▼）、無線ＬＡＮ端末が全ての無線ＬＡＮ基地局を検索すると、無線ＬＡＮ端末が帰属できない無線ＬＡＮ基地局２１１を帰属してしまう可能性があるが、第２の実施の形態における無線ＬＡＮ端末２０１は、ＳＳＩＤリスト記憶部１１を設け、該設けたＳＳＩＤリスト記憶部１１に、無線ＬＡＮ端末２０１が帰属可能な無線ＬＡＮ基地局のＳＳＩＤ検索リストを、予めユーザが設定することで、無線ＬＡＮ端末２０１が帰属できない無線ＬＡＮ基地局２１１への検索を回避することが可能となる。
【００８０】
また、帰属履歴を持たない無線ＬＡＮ端末では、無線基地局２１３から無線ＬＡＮ基地局２１４に移動した際（▲２▼）、および、無線ＬＡＮ基地局２１４から無線ＬＡＮ基地局２１１に移動した際（▲３▼）に、無線ＬＡＮ端末２０１が、図１３に示す検索リストのみに基づいてＳＳＩＤを検索すると、無線基地局２１３から無線ＬＡＮ基地局２１４に移動した際（▲２▼）に、２回の検索を必要とする。また、無線ＬＡＮ基地局２１４から無線ＬＡＮ基地局２１１に移動した際（▲３▼）に、３回の検索を必要とするが、第２の実施の形態における無線ＬＡＮ端末２０１は、帰属履歴記憶部１３を設け、該設けた帰属履歴記憶部１３に帰属履歴を記録し、この帰属履歴を用いて検索を行うことで、無線ＬＡＮ端末２０１は、無線基地局２１３から無線ＬＡＮ基地局２１４に移動した際（▲２▼）に、図１４に示す帰属履歴を用いて検索が行われるため、１回の検索で完了する。また、無線ＬＡＮ基地局２１４から無線ＬＡＮ基地局２１１に移動した際（▲３▼）に、図１５に示す帰属履歴を用いて検索が行われるため、２回の検索で完了することが可能となる。
【００８１】
（第３の実施の形態）
次に、第３の実施の形態について説明する。
第３の実施の形態は、図１７のように、Ｅｔｈｅｒｎｅｔ（Ｒ）による有線ＬＡＮネットワーク３２１、３２２が敷設されており、有線ＬＡＮネットワーク３２１には、ＩＥＥＥ８０２．１１標準に準拠した無線ＬＡＮ基地局３１１、３１２が接続されている。また、有線ＬＡＮネットワーク３２２は、ＩＥＥＥ８０２．１１標準に準拠した無線ＬＡＮ基地局３１３、３１４が接続されている。なお、無線ＬＡＮ基地局の電波が届く通信可能範囲は、基地局を中心とする円で示した範囲となる。
【００８２】
なお、第３の実施の形態では、有線ＬＡＮネットワーク３２１と、有線ＬＡＮネットワーク３２２と、は地理的に離れた場所に位置しており、両者の間を移動するには十分な時間を必要とする。
【００８３】
無線ＬＡＮ基地局３１１のＳＳＩＤは、“ｍｙｎｅｔ１”に設定されており、無線ＬＡＮ基地局３１２のＳＳＩＤは、“ｍｙｎｅｔ２”に設定されている。また、無線ＬＡＮ基地局３１３のＳＳＩＤは、“ｍｙｎｅｔ３”に設定されており、無線ＬＡＮ基地局３１４のＳＳＩＤは、“ｍｙｎｅｔ４”に設定されている。
【００８４】
第３の実施の形態における無線ＬＡＮ端末３０１は、第２の実施の形態における無線ＬＡＮ端末２０１と同様の内部構成を構築しており、図１７に示す２つの有線ネットワーク３２１、３２２および４つの無線ＬＡＮ基地局３１１、３１２、３１３、３１４すべての使用を許可されている。また、無線ＬＡＮ端末３０１は、帰属履歴リストを保持することができ、最近帰属した無線ＬＡＮ基地局のＳＳＩＤのリストを保持することとする。
【００８５】
また、ユーザは、無線ＬＡＮ端末３０１の具備するＳＳＩＤリスト記憶部１１に、ユーザ自身が利用する頻度の高いＳＳＩＤの順に設定し、図１８に示す優先順位のＳＳＩＤ検索リストを保持することとなる。
【００８６】
（第３の実施の形態における処理動作）
次に、第３の実施の形態における無線ＬＡＮ端末３０１の処理動作について説明する。
なお、無線ＬＡＮ端末３０１は、無線ＬＡＮ基地局３１３に帰属しており、無線ＬＡＮ端末３０１の具備する帰属履歴記憶部１３の帰属履歴リストが図１９に示すように記録されているとする。このとき、ユーザが無線ＬＡＮ端末３０１の電源を切断し、無線ＬＡＮ基地局３１１の圏内へ移動した後（▲１▼）、無線ＬＡＮ端末３０１の電源を投入したとする。
【００８７】
第３の実施の形態における無線ＬＡＮ端末３０１は、無線ＬＡＮ端末３０１のＳｃａｎトリガ検出部１が、無線ＬＡＮ端末３０１の電源が投入されたことを契機として、Ｓｃａｎ管理部４に無線ＬＡＮ基地局の検索を指示し、この指示によりＳｃａｎ管理部４は、ＳＳＩＤ優先順位管理部１２により得られる検索優先度の高いＳＳＩＤから順番に、Ｓｃａｎ処理部５に対して無線ＬＡＮ基地局の検索を要求し、無線ＬＡＮ基地局の検索を行うこととする。
【００８８】
なお、無線ＬＡＮ端末３０１は、無線ＬＡＮ端末３０１の具備するＳＳＩＤ優先順位管理部１２が、帰属履歴記憶部１３の帰属履歴リストにある図１９に示すＳＳＩＤ“ｍｙｎｅｔ３”を検索候補とするが、無線ＬＡＮ基地局３１３の場所から無線ＬＡＮ基地局３１１の場所へ移動する時間が十分長いため、帰属履歴記憶部１３のＳＳＩＤは古くなっているため消去されることとなる。また、図１９の２番目のリストにあるＳＳＩＤ“ｍｙｎｅｔ４”も同様に消去される。
【００８９】
この帰属履歴記憶部１３に記録した帰属履歴の消去を実行する際の方法としては、閾値を基に判定する方法が考えられ、無線ＬＡＮ端末３０１の電源を切断してから、電源を投入するまでの時間が、予め無線ＬＡＮ端末３０１に設定した所定の閾値を超えたか否かを判定し、所定の閾値を超えた際に、帰属履歴記憶部１３に記録した帰属履歴の消去を実行するように設定することも可能である。また、ユーザが無線ＬＡＮ端末３０１の具備する操作部から操作し、帰属履歴記憶部１３に記録した帰属履歴の消去を実行するように設定することも可能である。また、帰属履歴記憶部１３に帰属履歴を記録する際に、その日時等を一緒に記録し、一定時間以上帰属されていないＳＳＩＤを自動的に帰属履歴リストから消去することも可能である。
【００９０】
このように、帰属履歴記憶部１３の帰属履歴リストのＳＳＩＤがすべて古かったため、帰属履歴記憶部１３の帰属履歴リストが消去され、ＳＳＩＤ優先順位管理部１２は、ＳＳＩＤリスト記憶部１１に設定されたＳＳＩＤリストの優先度に従って検索を開始する。ＳＳＩＤ優先順位管理部１２は、このＳＳＩＤリストの最初のＳＳＩＤ“ｍｙｎｅｔ１”で検索すると、無線ＬＡＮ基地局３１１が検索されるので、無線ＬＡＮ端末３０１は、無線ＬＡＮ基地局３１１に帰属する。すなわち１回目の検索で帰属が完了する。
【００９１】
次に、無線ＬＡＮ基地局への帰属が完了すると、帰属履歴記憶部１３の帰属履歴リストにそのＳＳＩＤ“ｍｙｎｅｔ１”を記録する。このとき、帰属履歴記憶部１３が記憶しているＳＳＩＤリストは図２０のように更新される。
【００９２】
このように、第３の実施の形態における無線ＬＡＮ端末３０１は、無線ＬＡＮ端末３０１の具備する帰属履歴記憶部１３に記録された、使用されていない古い帰属履歴を削除することで、より頻繁に使用するＳＳＩＤが優先的に検索されることになり、スキャンの回数を減らすことができる。第２の実施の形態における無線ＬＡＮ端末２０１では３回のスキャンが必要となるところ、第３の実施の形態における無線ＬＡＮ端末２０１では、１回のスキャンで無線ＬＡＮ基地局を検出することが可能となる。
【００９３】
このように、本発明にかかる無線端末装置は、無線端末装置が帰属可能な基地局のＳＳＩＤを優先順にＳＳＩＤリスト記憶部１１に設定する。また、無線端末装置が帰属した基地局のＳＳＩＤを帰属履歴記憶部１３に記録する。そして、ＳＳＩＤ優先順位管理部１２は、ＳＳＩＤリスト記憶部１１に設定したＳＳＩＤのリスト、または、帰属履歴記憶部１３に記録したＳＳＩＤの履歴リストを取得し、該取得した履歴リストをＳｃａｎ管理部４に送信する。Ｓｃａｎ管理部４は、ＳＳＩＤ優先順位管理部１２により得られる検索優先度の高いＳＳＩＤから順番に、Ｓｃａｎ処理部５に対して基地局の検索を要求し、基地局の検索を行う。これにより、基地局検索にかかるまでの所要時間を短縮し、また、基地局検索に必要な消費電力を削減し、ユーザが希望する基地局に、効率的に帰属させることが可能となる。
【００９４】
なお、上述する実施の形態は、本発明の好適な実施の形態であり、本発明の要旨を逸脱しない範囲内において種々変更実施が可能である。
例えば、上記実施の形態において、基地局の検索を行った結果、無線端末に帰属可能な基地局が検出されなかった場合に、無線端末が位置するネットワークエリア内に存在する全ての基地局のＳＳＩＤを収集し、そのエリア内に存在する何れかの基地局に帰属するようにすることも可能である。以下に、その一例を、図２１を参照しながら説明する。
【００９５】
例えば、図８に示すアルゴリズムにおいて、Ｓｃａｎ処理が完了したと判定した場合は（ステップＳ８０６／ＹＥＳ）、アクセスポイント（ＡＰ）が検出されないまま処理を終了するとしたが、処理を終了せずに、ＳＳＩＤの設定を“ＡＮＹ”とし（ステップＳ２１０８）、Ｓｃａｎ処理を行う（ステップＳ２１０９）。そして、そのＳｃａｎ処理により、アクセスポイント（ＡＰ）が検出されたか否かを判定する（ステップＳ２１１０）。そして、この判定により、アクセスポイント（ＡＰ）が検出されない場合は（ステップＳ２１１０／ＮＯ）、アクセスポイント（ＡＰ）を検出せずに、処理を終了する。また、このステップＳ２１１０の判定により、アクセスポイント（ＡＰ）が検出された場合には（ステップＳ２１１０／ＹＥＳ）、その検出されたアクセスポイント（ＡＰ）の中から最も受信品質の良いアクセスポイント（ＡＰ）を選択し、無線端末に登録されていない未登録のアクセスポイント（ＡＰ）を検出して処理を終了することとなる。
【００９６】
このように、無線端末に登録されたＳＳＩＤを用いて基地局の検索を行った結果、無線端末に帰属可能な基地局が検出されなかった場合に、無線端末が位置するネットワークエリア内に存在する全ての基地局のＳＳＩＤを収集し、そのエリア内に存在する何れかの基地局に帰属することが可能となる。
【００９７】
また、本実施の形態における無線端末装置における処理動作をプログラムとして、無線基地局との無線通信が可能な移動体通信端末装置において実行させることでも、本実施の形態における無線端末装置を構築することは可能である。
【００９８】
【発明の効果】
以上の説明より明らかなように本発明は以下のような効果を奏する。
本発明にかかる無線端末装置及び無線基地局検索処理プログラムは、無線端末装置が帰属可能な基地局の帰属情報（Ｓｅｒｖｉｃｅ  Ｓｅｔ  ＩＤ、以下ＳＳＩＤとする）を優先順に無線端末装置に設定し、また、無線端末装置が帰属した基地局の帰属情報（ＳＳＩＤ）の履歴を無線端末装置に記録する。そして、その設定した帰属情報（ＳＳＩＤ）のリスト、または、記録した帰属情報（ＳＳＩＤ）の履歴リストを基に、検索優先度の高い帰属情報（ＳＳＩＤ）から順番に基地局の検索を行う。これにより、基地局検索にかかるまでの所要時間を短縮し、また、基地局検索に必要な消費電力を削減し、ユーザが希望する基地局に、効率的に帰属させることが可能となる。
【図面の簡単な説明】
【図１】本発明にかかる無線端末装置が帰属可能な基地局を検索する際の無線ネットワーク構成を示す図である。
【図２】本発明にかかる無線端末装置が保持するＳＳＩＤ検索優先度リスト（優先度）と、無線端末装置が帰属した基地局の帰属履歴のリスト（帰属履歴）を示す構成図である。
【図３】本発明にかかる無線端末装置が保持するＳＳＩＤ検索優先度リスト（優先度）と、無線端末装置が帰属した基地局の帰属履歴のリスト（帰属履歴）を示す構成図（図１に示す▲１▼の移動完了時における図）である。
【図４】第１の実施の形態における無線端末装置が帰属可能な基地局を検索する際の無線ネットワーク構成を示す図である。
【図５】従来の無線端末装置の内部構成を示す図である。
【図６】第１の実施の形態における無線端末装置の内部構成を示す図である。
【図７】第１の実施の形態における無線端末装置の具備するＳＳＩＤリスト記憶部が保持するＳＳＩＤリストを示す図である。
【図８】第１の実施の形態における無線端末装置が帰属可能な基地局を検索する際の処理動作を示すフローチャートである。
【図９】従来の無線端末装置における、帰属可能な基地局を検索する際の処理動作（Ｐａｓｓｉｖｅ  Ｓｃａｎ）を示すフローチャートである。
【図１０】従来の無線端末装置における、帰属可能な基地局を検索する際の処理動作（Ａｃｔｉｖｅ  Ｓｃａｎ）を示すフローチャートである。
【図１１】第２の実施の形態における無線端末装置が帰属可能な基地局を検索する際の無線ネットワーク構成を示す図である。
【図１２】第２の実施の形態における無線端末装置の内部構成を示す図である。
【図１３】第２の実施の形態における無線端末装置の具備するＳＳＩＤリスト記憶部に設定するＳＳＩＤリストを示す図である。
【図１４】第２の実施の形態における無線端末装置の具備する帰属履歴記憶部に記録されているＳＳＩＤ帰属履歴リスト（図１１に示す基地局２１２に帰属時）を示す図である。
【図１５】第２の実施の形態における無線端末装置が図１１に示す基地局２１３（▲１▼の移動時）に帰属を完了した際に更新されるＳＳＩＤ帰属履歴リストを示す図である。
【図１６】第２の実施の形態における無線端末装置が図１１に示す基地局２１２（▲３▼の移動時）に帰属を完了した際に更新されるＳＳＩＤ帰属履歴リストを示す図である。
【図１７】第３の実施の形態における無線端末装置が帰属可能な基地局を検索する際の無線ネットワーク構成を示す図である。
【図１８】第３の実施の形態における無線端末装置の具備するＳＳＩＤリスト記憶部に設定するＳＳＩＤリストを示す図である。
【図１９】第３の実施の形態における無線端末装置の具備する帰属履歴記憶部に記録されているＳＳＩＤ帰属履歴リスト（図１７に示す基地局３１３に帰属時）を示す図である。
【図２０】第３の実施の形態における無線端末装置が図１７に示す基地局３１１（▲１▼の移動時）に帰属を完了した際に更新されるＳＳＩＤ帰属履歴リストを示す図である。
【図２１】本発明にかかる無線端末装置が保持するＳＳＩＤに従って、帰属可能な基地局が検出されない場合に、無線圏内に位置する全ての基地局の帰属情報を収集し、該収集した帰属情報を基に、無線圏内に位置する帰属可能な基地局に帰属する処理動作を示すフローチャートである。
【符号の説明】
１  Ｓｃａｎトリガ検出部
２  同期管理部
３  ユーザインタフェース
４  Ｓｃａｎ管理部
５  Ｓｃａｎ処理部
６  モデム
７  送信部
８  受信部
９  切り替えスイッチ
１０  アンテナ
１１  ＳＳＩＤリスト記憶部
１２  Ｓｃａｎ優先順位管理部
１３  帰属履歴記憶部
１０１  無線ＬＡＮ端末
１１１、１１２、１１３  無線ＬＡＮ基地局
１２１、１２２  有線ネットワーク
【図１】
2004343458.tif 000003
【図２】
2004343458.tif 000004
【図３】
2004343458.tif 000005
【図４】
2004343458.tif 000006
【図５】
2004343458.tif 000007
【図６】
2004343458.tif 000008
【図７】
2004343458.tif 000009
【図８】
2004343458.tif 000010
【図９】
2004343458.tif 000011
【図１０】
2004343458.tif 000012
【図１１】
2004343458.tif 000013
【図１２】
2004343458.tif 000014
【図１３】
2004343458.tif 000015
【図１４】
2004343458.tif 000016
【図１５】
2004343458.tif 000017
【図１６】
2004343458.tif 000018
【図１７】
2004343458.tif 000019
【図１８】
2004343458.tif 000020
【図１９】
2004343458.tif 000021
【図２０】
2004343458.tif 000022
【図２１】
2004343458.tif 000023